(57)【特許請求の範囲】
【請求項１】
伝送ネットワークのためのコネクタユニットにおいて、上記コネクタユニットは、一方では共役コネクタユニットと共働するようになっている接点部材（１４、１４’）を含み、そして他方では絶縁材料ボディ（１１、１１’）内に接続端子（１５）及びバレル（２２）を含む種類のものであり、上記各接続端子（１５）は、電気導体（１６、１６’）によって上記接点部材（１４、１４’）に個々に接続され、また上記接続端子（１５）は少なくとも１つの接続ユニット（２０）を含み、上記接続ユニット（２０）はある軸（Ａ）を中心として円周方向に細長いスロット（２１）を有し、２つの接続ユニット（２０）の上記スロット（２１）が上記軸（Ａ）を中心として同軸状に、且つ上記軸（Ａ）を中心として円周方向にずらせて組合わされており、上記バレルは上記軸（Ａ）を中心として回転可能であって電線（１８、１８’）を２つの接続ユニット（２０）のそれぞれのスロット（２１）内に押し込むようになっており、この目的のために上記バレル（２２）は、各接続ユニット（２０）内のスロット（２１）と対応する関係にあり且つ上記電線（１８）の一方をその中に係合させるようになっている通路を有しており、
少なくとも１つの上記バレル（２２）には２つの上記接続ユニット（２０）が組合わされ、上記２つの接続ユニット（２０）は互いに絶縁され、そして各接続ユニット（２０）は２つの異なる接点部材（１４、１４’）にそれぞれ接続されており、その結果上記バレル（２２）自体は２つの異なる接続端子（１５）に対応している、
ことを特徴とする伝送ネットワークのためのコネクタユニット。
【請求項２】
上記バレル（２２）に組合わされている上記２つの接続ユニット（２０）は平らであって上記対応する軸（Ａ）に対して横方向に伸びており、上記各バレル（２２）は偏向手段（３０）を含み、上記偏向手段（３０）は上記接続ユニット（２０）のレベルよりも軸方向下方のレベルに配置されていて一方の接続ユニット（２０）の下で動作するようになっており、また上記偏向手段（３０）の中を対応する通路（２３）が伸びていることを特徴とする請求項１に記載のコネクタユニット。
【請求項３】
上記バレル（２２）の偏向手段（３０）は、中心コア（３１）から片持ち状に伸び、上記バレル（２２）のヘッド（２８）の底面から半径方向に突き出ていることを特徴とする請求項２に記載のコネクタユニット。
【請求項４】
上記バレル（２２）に組合わされている上記２つの接続ユニット（２０）は、上記バレル（２２）の２つの通路（２３）及び上記２つの偏向手段（３０）と同様に、互いに他方に対して直径方向反対側の位置に配置されていることを特徴とする請求項２または請求項３に記載のコネクタユニット。
【請求項５】
上記バレル（２２）に組合わされている上記２つの各接続ユニット（２０）は２つの異なるブランク（２５）の一部分をそれぞれ形成しており、上記一部分自体は対応する上記電気導体（１６、１６’）を形成していることを特徴とする請求項１乃至４の何れか１つに記載のコネクタユニット。
【請求項６】
上記接続ユニット（２０）が上記バレル（２２）に組合わされている上記ブランク（２５）は、それら自体が関連接点部材（１４、１４’）を形成している一部分である請求項５に記載のコネクタユニット。
【請求項７】
各バレル（２２）毎に使用される上記２つの接続ユニット（２０）は互いに絶縁されており、各接続ユニット（２０）は２つの異なる接点部材（１４、１４’）にそれぞれ接続されていることを特徴とする請求項１乃至６の何れか１つに記載のコネクタユニット。
【請求項８】
上記ボディ（１１、１１’）は、２つの部分（１１Ａ、１１Ａ’−１１Ｂ、１１Ｂ’）を有し、上記２つの部分は互いに結合され、それらの間に接続ユニット（２０）を形成しているブランク（２５）が平らに配置されるようになっており、上記部分（１１Ａ、１１Ａ’）がブランク（２５）を受入れ、上記部分（１１Ｂ、１１Ｂ’）の表面からユーザが上記接続端子（１５）にアクセスできるようにしたことを特徴とする請求項５乃至７の何れか１つに記載のコネクタユニット。
【請求項９】
上記ボディ（１１、１１’）の少なくとも一方の構成要素部分（１１Ａ、１１Ａ’−１１Ｂ、１１Ｂ’）は、互いに対向する表面から突き出ている１つのリブ（４２Ａ、４２Ｂ）を有し、上記リブ（４２Ａ、４２Ｂ）は上記構成要素部分（１１Ａ、１１Ａ’−１１Ｂ、１１Ｂ’）間に挿入されるブランク（２５）を位置決めするようになっていることを特徴とする請求項８に記載のコネクタユニット。
【請求項１０】
上記ブランク（２５）を受け入れるために、上記ボディ（１１、１１’）の少なくとも一方の構成要素部分（１１Ａ、１１Ａ’−１１Ｂ、１１Ｂ’）は、他方の構成要素部分に対面する表面から凹ませて形成されたハウジング（５４）を含んでいることを特徴とする請求項８に記載のコネクタユニット。
【請求項１１】
上記コネクタユニットが接続ソケット（１０）である場合には、上記接点部材（１４）は、接続プラグ（１３）を受け入れるようになっているレセプタクル（１２）内で動作することを特徴とする請求項１乃至１０に記載のコネクタユニット。
【請求項１２】
上記コネクタユニットが接続プラグ（１３）である場合には、上記接点部材（１４）は、上記ボディ（１１’）から突き出ている端片（５０）内で動作するようになっており、上記端片（５０）によって上記接続プラグ（１３）は上記接続ソケット（１０）内にプラグインされるようになっていることを特徴とする請求項１乃至１１に記載のコネクタユニット。
【発明の詳細な説明】
【０００１】
【発明の属する技術分野】
本発明は、一般的には、何等かの種類の受信器を何等かの種類の伝送ネットワークに接続するのに使用されるコネクタに関し、より詳しく述べれば、限定するものではないが、極めて低い電圧で低電流を輸送する電話またはコンピュータネットワークの場合に関連する。
【０００２】
【従来の技術】
上述した種類のコネクタは、２つの共役コネクタユニット、即ち、例えば壁のような何等かの支持体に取付けるように設計されているソケットと、このソケットにプラグインするようになっていて、接続される受信器のケーブルに適合するように設計されているプラグとを含んでいる。
それがソケットであろうと、プラグであろうと、この種類のコネクタユニットは、共役コネクタユニットと共働する接点ユニットと、絶縁材料のボディ内にあって、電気導体によって上記接点ユニットに個々に接続され、また接続される電線の１つを個々に受けるようになっている接続端子とを含んでいる。
更に詳しく述べると、本発明は、使用される接続端子が絶縁変位接続端子、即ち、もし接続される電線が絶縁被覆されていれば、接続端子自体が電線の絶縁被覆を局部的に除去するのを保証する型の接続端子である。
【０００３】
これは、例えば 1993 年２月22日付で出願（番号 93 01984 ）されたフランス特許公開第 2 702 096号の主題である接続コネクタの場合である。
使用される各絶縁変位接続端子は、ある軸を中心として円周方向に細長いスロットと、上記軸を中心として回転可能なバレルとを有する少なくとも１つの接続ユニットを含み、２つの接続ユニットのそれぞれのスロットがこのような軸の１つを中心として円周方向にずらして配置されている。上記バレルは、電線を２つの接続ユニットのそれぞれのスロット内に押し込むようになっており、この目的のために、上記バレルは、各接続ユニット内のスロットと対応する関係にあり且つ電線を係合させることが可能な通路を有している。
上記フランス特許第 93 01984 号では、１つのバレルに２つの接続ユニットが組み込まれており、これらは実際には互いに電気的に接続されており、それらの一方は接続すべき電線の１つに接続され、他方は、もし必要ならば、この点において頂部接続を確立するのに使用される。
【０００４】
その結果、これらの各バレルは１つの接続端子だけに対応しており、換言すれば、接続端子と同数のバレルが存在している。
このシステムはある程度の満足を与え、そのようにし続けることができる。
しかしながら、比較的多数のバレルを使用するものとすれば、それは比較的かさばったものとなり、実現のための費用が高くなる。
【０００５】
【発明の概要】
本発明の目的は、上述した欠陥を大幅に減少させ、他の長所が得られる配列を提供することである。
より正確に言えば、本発明は、一方では共役コネクタユニットと共働する接点部材を含み、そして他方では絶縁材料ボディ内に接続端子及びバレルを含む種類のものであり、上記各接続端子は、電気導体によって上記接点部材に個々に接続され、また上記接続端子は少なくとも１つの接続ユニットを含み、上記接続ユニットはある軸を中心として円周方向に細長いスロットを有し、２つの接続ユニットの上記スロットが上記軸を中心として同軸状に、且つ上記軸を中心として円周方向にずらせて組合わされており、上記バレルは上記軸を中心として回転可能であって電線を２つの接続ユニットのそれぞれのスロット内に押し込むようになっており、この目的のために上記バレルは、各接続ユニット内のスロットと対応する関係にあり且つ上記電線の一方をその中に係合させるようになっている通路を有している。使用するバレルの少なくとも１つには２つの接続ユニットが組合わされ、これらの接続ユニットは互いに絶縁され、そして各接続ユニットは２つの異なる接点ユニットにそれぞれ接続され、その結果上記バレル自体は２つの異なる接続端子に対応する。
【０００６】
これは、各バレル毎にそのようになっていることが好ましい。
このようにすると、使用されるバレルの数が半分になる。
このようにした結果の長所は、システムの総合サイズの大幅な縮小、及び／または接続端子の配列の容易さ、並びに費用の大幅な低下である。
更に、コネクタユニットがソケットである場合には、近端クロストークの危険性を大幅に低下させる。
例えば、電話ネットワークの場合には、互いに極めて接近したそれぞれの接続端子に同一対の２本の電線を有利に接続することができる。
このようにするためには、各電線を同じバレル内の２つの通路の１つにそれぞれ係合させるだけでよい。
【０００７】
これらの電線はクロストークを最小にするために始めにより合わせるのであるが、本発明においては、有利なことには、関連する２つの接続端子が極めて接近しているので接続端子へ接続するために各々を分離しなければならない区分は短くなり、この分離に伴うクロストークの局部的な再発（この場合には、近端クロストークと呼ばれる）の危険性は相応に減少する。
本発明の特色及び長所は、以下の添付図面を参照しての本発明の実施例の詳細な説明から明白になるであろう。
【０００８】
【実施例】
図１乃至１４を参照し、本発明のコネクタユニットを接続ソケット１０に関して説明する。
図示のように、そして公知のように、接続ソケット１０は絶縁材料ボディ１１の中に、レセプタクル１２と、複数の接続端子１５とを含んでいる。レセプタクル１２は、図３に鎖線で一部が示されている接続プラグ１３を受け、また接点部材１４が接続プラグ１３を構成している共役コネクタユニットと共働するようになっている。各接続端子１５は、後述する配列により、電気導体１６によって個々に接点部材１４に接続される。
接続ソケット１０は、電線１８を使用して伝送ネットワーク内で使用するように設計されている。
【０００９】
例えば、電話ネットワークの場合には、通常は電線１８は２×２により合わされて対１９に形成されている。
図面が過度に複雑になるのを避けるために、図１には電線１８のこれらの対１９の１対だけを示してある。
例えば、図示してあるように４つの対１９の電線１８が存在しているが、これは、電線１８当たり１つの接続端子１５と１つの接点部材のレートにおける１４接続端子１５及び接点部材１４の２倍である。
これらの電線１８は、実際には絶縁電線である。
図示実施例では、接点部材１４はレセプタクル１２内にやや傾斜して伸びている金属舌片である。
【００１０】
上述した配列自体は公知であり、従ってさらなる詳細説明は省略する。
公知のように、接続端子１５は絶縁変位端子である。
詳述すれば接続端子１５は、1987年11月９日に出願された（番号 87 15476 ）フランス特許公開第 2 623 024号に開示されている型の接続端子である。
各接続端子１５は、少なくとも１つの接続ユニット２０と、バレル２２とを含んでいる。接続ユニット２０は、軸Ａを中心として円周方向に細長いスロット２１を有しており、同軸状に組合わされた２つの接続ユニット２０のスロット２１が軸Ａを中心として円周方向にずらせて配置されている。バレル２２は、軸Ａを中心として回転可能であり、電線１８を各接続ユニット２０のスロット内に押し込むようになっている。この目的のために、バレル２２は各接続ユニット２０のスロット２１と対応する関係にある通路２３を有しており、電線１８をこの通路と係合させることができる。
【００１１】
複数の軸Ａが図１、２、３、８、９、１０、及び１２に鎖線で示され、それらの１つが図１１に示されている。
本発明によれば、少なくとも１つのバレル２２を使用する場合、そのバレル２２に組合わされた２つの接続ユニット２０は互いに絶縁されており、各接続ユニット２０はそれぞれ２つの異なる接点部材１４に接続されているので、そのバレル２２は２つの異なる接続端子１５に対応するようになる。
図示のように、各バレル２２毎に、このような配列になっていることが好ましい。
換言すれば、本発明による８つの接続端子１５を使用すれば、バレル２２の数は４つだけでよいことになる。
【００１２】
図示実施例では、そして前記フランス特許出願 87 15476 に開示されているように、同一のバレル２２に組合わされている２つの接続ユニット２０は平らであり、そして対応する軸Ａを横切るように伸びでいる。
実際には２つの接続ユニット２０は、異なる金属ブランク（打抜き材）２５の部品であり、それぞれの片が対応する電気導体１６と、それに続く接点部材１４とを形成している。
実際には、同じバレル２２に組合わされている２つの接続ユニット２０は、対応する軸Ａを挟んで直径方向反対の側に位置している。
全ての接続ユニット２０は、ほぼ同じ型である。
接続ユニット２０はそれらのスロット２１を限定している２つのリップ２６、２７（図１１参照）を含んでいる。それらの１つである半径方向内側のリップ２６はスロット２１と同じように円周方向に伸びており、他の１つである半径方向外側のリップ２７はよりマッシブな外形を有している。
【００１３】
接続ユニット２０内のスロット２１の出口は外向きに広げられていて、その中に電線１８を挿入し易くしてある。
使用されている種々のバレル２２は全て同一である。
各バレル２２は、円形断面の円筒形ヘッド２８を含み、このヘッド２８はその表面上に直径方向のスロット２９を有し、ねじの頭のように使用すれば、このシステムを回転させるのが容易になる。
ヘッド２８は偏心して位置決めされている２つの通路２３をも含み、各通路２３は２つの接続ユニット２０のそれそれに関係付けられている。
接続ユニット２０と同様に通路２３は互いに直径方向反対側の位置にあり、図示実施例ではこれらは対応する軸Ａに平行である。
【００１４】
バレル２２は、それに組合わされた各接続ユニット２０毎に、軸方向に接続ユニット２０のレベルよりも下のレベルに配置される偏向手段３０を含み、これらの偏向手段３０は接続ユニット２０よりも下方まで伸び、この偏向手段３０を通って対応する通路２３が伸びている。
以上のように、各バレル２２は２つの偏向手段３０を含み、接続ユニット２０及び通路２３と同様に、これらの偏向手段３０は互いに直径方向反対側の位置に配置されている。
実際には、偏向手段３０は、バレル２２のヘッド２８の下面から軸方向に突き出ている中心コア３１から片持ち状に、そして互いに後ろを向け合って半径方向に伸びている。
【００１５】
各偏向手段３０は、スロット３２によってヘッド２８から分離されている。このスロット３２は対応する通路２３を横切るように通路２３と交差しており、このスロット３２の中に接続ユニット２０を受入れるようになっている。
以上の説明から、図示実施例では、各接続端子１５が１つだけの接続ユニット２０を含み、これらの接続端子１５が対になってバレル２２と組合わされることが理解されたであろう。
図示実施例では、接続ユニット２０を形成しているブランク２５は、２つの層に分割されている。
例えば図示してあるように、電気導体１６がグループになって連続する接点部材１４を形成する場所に、そしてこれら２つの層の間に、絶縁材料板３４が局部的に配置されている。
【００１６】
比較的薄い、平らな、そして四辺形（実際には図２及び１２に示すように、矩形）の外形を有する絶縁材料板３４は、その全体がボディ１１の総合外形内に収容される。
実際には、絶縁材料板３４より先の接点部材１４は、レセプタクル１２内を斜めに伸びるように、それらがつながっているブランク２５に対して曲げられてブランク２５と二面角をなしている。
例えば図１３及び１４に鎖線で示してあるように、２つの分離したストリップＢ１、Ｂ２から２つの層を切り離して、接続ユニット２０を形成すブランク２５を分割させる。
このようにしてストリップＢ１、Ｂ２から得られたブランク２５を一緒に取り扱い易くするために、ブランク２５に共通する弱い部分（例えば、対応する接点部分１４付近）を一時的にその場所に残しておき、後刻ブランク２５を分離した後に除去することができる。
【００１７】
図示実施例では、本発明の接続ソケット１０のボディ１１は２つの部分１１Ａ及び１１Ｂを有しており、それらの間に接続ユニット２０を形成するブランク２５が平らに配置される。即ち、部分１１Ａはブランク２５を受けるようになっており、またその側にレセプタクル１２を有している。接続端子１５には、部分１１Ｂの表面からアクセス可能である。
部分１１Ａは部分１１Ｂが重ねられる板部分３５を含み、板部分３５の一方の側端には板部分３５の高さよりも遙かに高い背部分３６が設けられ、背部分３６の中にレセプタクル１２が形成されている。
実際には、部分１１Ａの板部分３５と部分１１Ｂとは同じ輪郭を有しており、この輪郭は矩形である。
【００１８】
バレル２２は、板部分３５と部分１１Ｂとの間に自由に回転するように閉じ込められる。
図示実施例では、接続端子１５、従ってバレル２２には部分１１Ｂの側からアクセス可能である。
正確に言えば、この実施例では、ボディ１１の部分１１Ｂにはバレル２２と同数のハウジング３７が設けられ、その中にバレル２２のヘッド２８が回転可能なように取付けられる。ヘッド２８は、横に張り出した肩３８によって軸方向に支えられる。部分１１Ａの板部分３５は、対応する関係にあるハウジング３９を含んでいる。ハウジング３９の中でバレル２２の偏向手段３０がピボットすることができ、肩４０によって軸方向に支えられる。
【００１９】
図示のように、ハウジング３７及びハウジング３９は、例えば方形の上面にある。
図示実施例では、ハウジング３９内の、互いに直径方向反対側に位置する軸方向突起４１が、バレル２２の両方向への角運動範囲を制限する。
この実施例では、ボディ１１の少なくとも１つの構成要素部分１１Ａ、１１Ｂは、そして実際にはそれらの各々は、他方に対向する表面から突き出たリブ４２Ａ、４２Ｂを有し、それらの間に挿入されるブランク２５を位置決めし、絶縁している。
部分１１Ｂの場合には、２つのリブ４２Ｂの端は絶縁材料板３４を位置決めし、保持する。
【００２０】
図示実施例では、ボディ１１のレセプタクル１２とは反対側から接続端子１５に、従ってバレル２２にアクセスすることができる。
換言すれば、この実施例では、レセプタクル１２は、ボディ１１の部分１１Ａの板部分３５の底面と同一の側に開いている。
しかしながら、代替として、接続端子１５はレセプタクル１２と同一の側からアクセス可能なようにすることができる。
これらを、中央で分割することができる。
図示実施例では、ボディ１１の２つの構成要素部分１１Ａ、１１Ｂは、単に一緒にクリップされるだけである。
この目的のために部分１１Ｂは、縁に沿って突き出ている２つの弾力的に変形可能なラグ４３を有しており、これらのラグ４３は部分１１Ａの背部分３６と接触する。各ラグ４３はフックの形状であり、この目的のために背部分３６上に設けられている２つの溝４４の１つにそれぞれ係合するようになっている。これらのラグ４３は、この目的のために溝４４内に設けられている戻り止（デテント）４５に係合するまで挿入される。
【００２１】
図２に矢印Ｆ１で示すように、組立ては、単にボディ１１の部分１１Ａ、ブランク２５、図示実施例ではブランク２５が形成している２つの層の間の絶縁材料板３４、バレル２２、接続ユニット２０の傾斜した部分、及びボディ１１の部分１１Ｂを積み重ねるだけである。
代替として、ボディ１１の２つの構成要素部分１１Ａ、１１Ｂは互いに溶接及び／またはかしめてもよい。
使用に際して、本発明による接続ソケット１０は、配線する前、または後に、通常は、例えば壁（図示してない）のような支持体に取付ける。
いずれにせよ、配線する場合、図１に１つの対１９を示してあるように、通常は同一対１９の電線１８を同じバレル２２の２つの通路に係合させる。
【００２２】
次に、図１１に矢印Ｆ２で示してあるように、バレル２２を対応する軸Ａを中心として回転させる。その結果、それらと係合している２本の電線１８は２つの接続ユニット２０のスロット２１の１つ内にそれぞれ押し込まれ、電線１８の絶縁被覆が局部的に変位することによって電線１８が局部的に剥き出しになる。
このようにして電線１８と、それらが係合したスロット２１のリップ２６、２７との間に接触が確立されるので、このようにして同じバレル２２と係合した２本の電線１８は２つの異なる電気導体に、従って、これも分離されていて２つの異なる接続端子１５に対応する２つの接点部材１４にそれぞれ電気的に接続される。
図１５乃至１７は、本発明の接続ユニットが接続プラグである場合を示しており、この接続プラグ１３は、例えば上述した接続ソケット１０に組合わせる共役コネクタユニットであることができる。
【００２３】
接続ソケット１０の場合と同様に、接続プラグ１３は、接続ソケット１０である共役コネクタユニットと共働させるために、それ自体は公知の接点部材１４’（図１６）と、絶縁材料ボディ１１’内にあって電気導体１６’によって接点部材１４’にそれぞれ接続されている接続端子１５とを含んでいる。
以下に詳細に説明する配列によって、接点部材１４’は端片５０内で動作するようになる。端片５０はボディ１１’から突き出ており、この端片５０によって接続プラグ１３は接続ソケット１０内に、より正確に言えば、この目的のために接続ソケット１０内に設けられているレセプタクル１２内にプラグインされるようになっている。
前述したように、接続ソケット１０の接続端子１５と同数の、８つの接続端子１５が存在している。
【００２４】
この理由から、接続ソケット１０及び接続プラグ１３内の同一の構成要素の全てに同一の参照番号を付してある。
接続プラグ１３の接続端子１５は、前述したように、接続ユニット２０と、バレル２２とを含んでいる。接続ユニット２０は、軸Ａを中心として円周方向に細長いスロット２１を有し、１つのこのような軸Ａを中心として円周方向にずらされて（実際には互いに直径方向に反対側の位置に配置されて）いる。通路２３及び偏向手段３０を有するバレル２２は、軸Ａを中心として回転可能であって電線１８’を２つの接続ユニット２０のそれぞれのスロット２１内に押し込むようになっている。
本発明によれば、そして前述したように、使用される少なくとも１つのバレル２２に、そして実際には全てのバレル２２に組合わされている２つの接続ユニット２０は互いに絶縁されて２つの異なる接点部材１４’にそれぞれ接続されており、その結果、バレル２２自体は２つの異なる接続端子１５に対応している。
【００２５】
接続プラグ１３の接続端子１５が８つである場合、前述したようにバレル２２の数は４つにしか過ぎない。
これもまた前述したように、第２のバレル２２に組合わされている２つの接続ユニット２０は平らであり、対応する軸Ａに対して横方向に伸びており、そしてそれぞれは２つの金属ブランク２５の一部であって一緒に１つの片にすると対応する電気導体１６’を形成する。
接続プラグ１３の場合には、図示実施例では、接続ユニット２０を形成しているブランク２５は共平面であり、単一の層をなしている。
しかしながら、代替として、ブランク２５は前述したように２つの層に配置する、及び／または重ね合わせるか一緒に組立てて、それらの少なくとも一方を少なくとも局部的に相応に絶縁することができる。
【００２６】
図示実施例では、接点部材１４’はそれぞれ、対応する電気導体１６’の端を局所的に概ねＵ字形に変形させることによって形成されている（図１６及び１７参照）。
また図示実施例では、接続プラグ１３のボディ１１は前述したように２つの部分１１’Ａ、１１’Ｂを有し、それらの間に接続ユニット２０を形成するブランク２５が配置されている。詳述すれば、板部分３５’を有する部分１１’Ａはベースを形成していて端片５０が横方向に一体に結合されており、部分１１’Ｂはカバーを形成していてその表面から接続端子１５にアクセス可能である。
図示実施例ではブランク２５を受入れるために、部分１１’Ａの板部分３５’は、部分１１’Ｂに対面する部分１１’Ａの表面に凹みを付けて形成したハウジング５４を含み、前述したものと同じ型の配列によって、バレル２２は板部材３５’と部分１１’Ｂとの間で自由に回転するように閉じ込められる。
【００２７】
前述したように、この目的のために部分１１’Ａの板部材３５’内に設けられているハウジング３７’はバレル２２を受け入れ、部分１１’Ｂ内に対応する関係に設けられているハウジング３９’は方形の頂部に位置している。
端片５０の内部にハウジング５５が形成されていて、その中にハウジング５５によって担持されるように電気導体１６’が係合する。ハウジング５５は、スロット（接点部材１４’毎に１スロット）５６を通して外部に開いており、接点部材１４’が、接続ソケット１０である共役コネクタユニットの接点部材１４と接触できるようにしている。
図示実施例では、スロット５６は、ボディ１１の部分１１’Ｂと同一のボディ１１の側に開いている。
【００２８】
換言すれば図示実施例では、接続プラグ１３の接続端子１５には、接点部材１４’自体が、接続ソケット１０である共役コネクタユニットの接点部材１４にアクセスする側のボディ１１からアクセス可能である。
しかしながら前述したように、接続端子１５はボディ１１の反対側からアクセス可能にすることも、またはボディ１１を中央で分割することもできる。
前述したように、ボディ１１’の２つの構成要素部分１１’Ａ、１１’Ｂは、クリップ、及び／または例えば超音波による溶接、及び／または一緒に収縮させることができる。
図示実施例では、端片によって形成されているハウジング５５は、スロット５６と同一の側にあるノッチ５８を通して開いている。このノッチ５８を閉じるために、部分１１’Ｂは対応する関係に突起したタブ５９を担持している。
【００２９】
勿論、本発明は上述し、図示した実施例に限定されるものではなく、どのような変形をも包含する。
詳しく述べれば、もしコネクタユニットを接地するために何等かの種類の補助接続端子を本発明のコネクタユニット上に設ける必要があれば、これは、例えば説明し、図示した型の絶縁変位接続端子であっても、または単なる普通のねじ接続端子であっても差し支えない。
絶縁変位接続端子の場合には、１つのコネクタユニットだけに対応するバレルを組合わせることができる。
接続ユニットと接触部材との間の電気導体は、もし必要ならば、近端クロストークを減少させるための局部的補償デバイス、より詳しくは容量性デバイスが得られるように活用することができる。
【００３０】
この場合、これらの経路は必ずしも図示したようにはならない。
またもし必要ならば、使用するバレルにはそれらを識別するためのマーカを設けることができる。
例えば、各バレルを２つの異なる色で着色し、合計８色の対応する適用可能なカラーコードを得ることができる。
４つの接点だけを含むコネクタの場合には、本発明によれば、プラグは２つだけのバレル（２接点当たり１バレル）を含むことになるが、もし必要ならば、分岐可能にするためにソケットは、従来技術のように接点当たり１バレルを含むことができる。
最後に、それがソケットであるのか、またはプラグであるのかには関係なく、本発明のコネクタユニットは、もし必要ならば（例えば遮蔽要求に従って）、少なくとも部分的に金属化することができる。
【図面の簡単な説明】
【図１】本発明によるコネクタユニットの斜視図である。
【図２】図１のコネクタユニットの分解斜視図である。
【図３】図１の III− III矢視縦方向拡大断面図である。
【図４】コネクタユニットの絶縁材料ボディの構成要素部分の１つを分離して反対側から、即ち図２の矢印 IV の方向に見た別の斜視図（図１及び２と同一の尺度で示す）である。
【図５】図４の V−V 矢視部分拡大断面図である。
【図６】コネクタユニットの絶縁材料ボディの他の構成要素部分を分離して図２の矢印 VI の方向に見た別の斜視図（図１及び２と同一の尺度で示す）である。
【図７】図６の VII−VII 矢視部分拡大断面図である。
【図８】本発明のコネクタユニットのバレルの１つを図２と同じ向きで上から見た斜視図である。
【図９】図８に示したバレルを下から、即ち図８の矢印 IX の方向から見た別の斜視図である。
【図１０】図８の X−X 矢視軸方向拡大断面図である。
【図１１】図１０の矢印 XI の方向から見た平面図であって、それに組合わされた２つの接続ユニットを示している。
【図１２】本発明の接続ユニットに使用される接続部材を形成しているブランクの拡大斜視図である。
【図１３】図１２のブランクの一方の部分の斜視図である。
【図１４】図１２のブランクの他方の部分の斜視図である。
【図１５】本発明の別のコネクタユニットの斜視図である。
【図１６】図１５のコネクタユニットの分解斜視図である。
【図１７】図１５のコネクタユニットに使用される接続部材を形成している２つのブランクを、対応するバレルと共に示す拡大斜視図である。
【符号の説明】
１０  接続ソケット
１１  絶縁材料ボディ
１２  レセプタクル
１３  接続プラグ
１４  接点部材
１５  接続端子
１６  電気導体
１８  電線
２０  接続ユニット
２１  スロット
２２  バレル
２３  通路
２５  ブランク
２６、２７  リップ
２８  バレルのヘッド
２９  スロット
３０  偏向手段
３１  中心コア
３２  スロット
３４  絶縁材料板
３５  板部分
３６  背部分
３７  ハウジング
３８  肩
３９  ハウジング
４０  肩
４１  突起
４２  リブ
４３  ラグ
４４  溝
４５  戻り止
５０  端片
５４、５５  ハウジング
５６  スロット
５８  ノッチ
５９  タブ
【図１】
0003874488.tif 000002
【図２】
0003874488.tif 000003
【図３】
0003874488.tif 000004
【図４】
0003874488.tif 000005
【図５】
0003874488.tif 000006
【図６】
0003874488.tif 000007
【図７】
0003874488.tif 000008
【図８】
0003874488.tif 000009
【図９】
0003874488.tif 000010
【図１０】
0003874488.tif 000011
【図１１】
0003874488.tif 000012
【図１２】
0003874488.tif 000013
【図１３】
0003874488.tif 000014
【図１４】
0003874488.tif 000015
【図１５】
0003874488.tif 000016
【図１６】
0003874488.tif 000017
【図１７】
0003874488.tif 000018